(57)【要約】【課題】  各ユーザ建屋に配備されたスマートメータの無線マルチホップ機能を利用し、公衆ネットワークが使用できない状況でも使える、ユーザ相互で情報交換する通信路を提供する。【解決手段】  配電事業者システムとも無線マルチホップのＡルート無線チャネルで接続し、ＨＥＭＳ装置ともＢルート無線チャネルで接続する、複数のユーザ建屋にそれぞれ配置され相互通信無線チャネルで通信するスマートメータ装置と、各ユーザ建屋で該スマートメータ装置に接続されユーザ建屋内通信で各種ＯＡ装置と接続するゲートウェイ装置からなる。【選択図】  図１
2018082300.tif 000002
【特許請求の範囲】
【請求項１】
配電事業者システムとも無線マルチホップのＡルート無線チャネルで接続し、ＨＥＭＳ装置ともＢルート無線チャネルで接続する、複数のユーザ建屋にそれぞれ配置され相互通信無線チャネルで通信するスマートメータ装置と、各ユーザ建屋で該スマートメータ装置に接続されユーザ建屋内通信で各種ＯＡ装置と接続するゲートウェイ装置からなる、通信システムにおいて、
上記スマートメータ装置は、
自スマートメータＩＤを保存し、自スマートメータＩＤを含むＩＤ通知信号をスマートメータ装置内へ送出するスマートメータＩＤ管理手段と、
上記スマートメータＩＤ管理手段からＩＤ通知信号受け、電力を測定し電力使用量とＡルートチャネルやＢルートチャネルを示すチャネル情報を含む電力情報信号をスマートメータ装置内へ送出するスマートメータ手段と、
スマートメータＩＤ管理手段からＩＤ通知信号受けた場合には、受けたＩＤ通知信号をゲートウェイ装置へ送出し、ゲートウェイ装置から相互通信チャネルを示すチャネル情報と宛先ＩＤと発元ＩＤとＴＴＬとサービスＩＤとデータＩＤとデータを含むデータ信号を受けた場合には、受けたデータ信号をスマートメータ装置内へ送出し、スマートメータ装置内からデータ信号を受けた場合には、受けたデータ信号をゲートウェイ装置へ送出する外部接続受け手段と
スマートメータ手段から電力情報信号を受けた場合には、チャネル情報がＡルートチャネルの場合には受けた電力情報信号をＡルート無線チャネルで送出し、チャネル情報がＢルートチャネルの場合には受けた電力情報信号をＢルート無線チャネルで送出し、上記外部接続受け手段からデータ信号を受けた場合には、受けたデータ信号を相互通信無線チャネルで送出し、別ユーザ建屋のスマートメータ装置から相互通信無線チャネルでデータ信号を受けた場合には、受けたデータ信号を上記外部接続受け手段へ送出し、別ユーザ建屋のスマートメータ装置からＡルート無線チャネルで電力情報信号を受信した場合には、受けた電力情報信号をＡルート無線チャネルで送出する無線通信手段を備え、
上記ゲートウェイ装置は、
各種ＯＡ装置から宛先ＩＤと発元ＩＤとサービスＩＤとデータＩＤとデータを含むユーザデータ信号を受けた場合には、ゲートウェイ装置内へ送出し、ゲートウェイ装置内からユーザデータ信号を受けた場合には、受けたユーザデータ信号を各種ＯＡ装置へ送出するＯＡ装置接続手段と、
スマートメータ装置からＩＤ通知信号を受けた場合には、受けたＩＤ通知信号をゲートウェイ装置内へ送出し、スマートメータ装置からデータ信号を受けた場合には、受けたデータ信号をゲートウェイ装置内へ送出し、ゲートウェイ装置内からデータ信号を受けた場合には、受けたゲートウェイ信号をスマートメータ装置へ送出する外部接続手段と、
あらかじめＴＴＬ初期値を保存し、外部接続手段からＩＰ通知信号を受けた場合には、自スマートメータＩＤを保存し、ＯＡ装置接続手段からのユーザデータ信号を受けた場合には、受けたユーザデータ信号と保存している情報からデータ信号を生成し外部接続手段へ送出する送信手段と、
外部接続手段からＩＤ通知信号を受けた場合には、自スマートメータＩＤを保存し、外部接続手段からデータ信号を受けた場合には、受けたデータ信号をもとにユーザデータ信号を生成しＯＡ装置接続手段に送出し外部データ接続手段にデータ信号を転送する、受信中継手段と、
を含むことを特徴とする通信システム。
【請求項２】
前記配電事業者システムとも無線マルチホップのＡルート無線チャネルで接続し、ＨＥＭＳ装置ともＢルート無線チャネルで接続する、複数のユーザ建屋にそれぞれ配置され相互通信無線チャネルで通信するスマートメータ装置と、
前記各ユーザ建屋で該スマートメータ装置に接続されユーザ建屋内通信で各種ＯＡ装置と接続するゲートウェイ装置と、
各種ＯＡ装置に接続するセンサ装置からなる、通信システムにおいて、
上記ＯＡ装置は、ユーザからの操作を受け付けＯＡ装置内に信号を送出する入力手段と、ＯＡ装置内からの信号を受けた場合に、ユーザへ表示する出力手段と、見守りグループのグループＩＤと複数のユーザ名とスマートメータＩＤからなるグループメンバリストを保存し、入力手段がユーザの見守りグループ開始操作を受け付けた場合に送出する、グループＩＤを含むグループ開始信号を受けた場合には、通信システムに接続する手段に転送し、入力手段からグループＩＤ、発元ＩＤ、サービス種別に見守り、データＩＤ、データに要求ユーザ名を含むグループ参加要求信号を受けた場合には通信システムに接続する手段に転送し、入力手段からグループＩＤ、発元ＩＤ、サービス種別に見守り、データＩＤ、データにＯＫもしくはＮＧを受けた場合には、データにメンバリストを加えてグループ参加応答信号をつくり通信システムに接続する手段へ送信し、入力手段からグループＩＤ、発元ＩＤ、サービス種別に見守り、データＩＤ、データにメッセージかセンサ種別とメッセージ文面かセンサ内容を含むメッセージ信号を受けた場合にはメッセージ信号を通信システムと接続する手段に転送し、通信システムに接続する手段からグループ参加要求信号、グループ参加応答信号、メッセージ信号を受けた場合、出力手段へ転送し、センサ措置からセンサ種別とセンサ内容を含む反応信号を受けた場合には、メッセージ信号にて通信システムに接続する手段に送出するグループ管理手段と、グループ管理手段からグループ開始信号、グループ参加要求信号、グループ参加応答信号、メッセージ信号を受けた場合には、通信システムに転送し、通信システムからグループ参加要求信号、グループ参加応答信号、メッセージ信号を受けた場合にはグループ管理手段に転送する通信システム接続手段を備え、上記センサ装置は、ユーザの生活行動に反応するセンサ手段と、センサ手段からの反応を受けた場合には、ＯＡ装置のグループ管理手段へ反応信号を送出するセンサ制御手段を含むことを特徴とする見守りシステム。
【発明の詳細な説明】
【技術分野】
【０００１】
本発明は、公衆ネットワークサービスより簡単で、激甚災害時にも利用可能な、スマートメータ間を無線マルチホップして地域に根ざしたユーザ相互に通信できる通信路及びサービスを提供するシステムに関する。
【背景技術】
【０００２】
従来、電力使用量に係る情報を、各ユーザ建屋に配備されたスマートメータ間の無線マルチホップにより伝達する無線通信システムにおいて、配電事業者システム側へ電力使用量を通知するＡルートと、ユーザ建屋内のＨＥＭＳ（Home Energy Management System）装置側へ電力使用量を通知するＢルートを用い、スマートメータと連動させた火災検知器からの火災情報を配電事業者システム側に通知すると共に、ＨＥＭＳを介して火災報知機を鳴動させる、災害時の情報通知技術がある（例えば、特許文献１）。
また、無線マルチホップを用い、センサが取得した情報を監視サーバへ通知すると共に、センサネットワーク内にいる人へ無線マルチホップにて、災害発生、災害発生地点、非難方向を報知する無線通信システムが開示されている（例えば、特許文献２）。
また、無線アドホックネットワークで災害時に安否情報等を通信する地域防災告知システムが開示されている（例えば、特許文献３）。
【０００３】
しかしながら、特許文献１は、火災検知器の情報を配電事業者側へ通知するものであり、近隣のユーザ間での情報のやり取りを実現するものではない。また、特許文献２は、センサネットワークにおいて、災害情報に特化してフラッディングするための仕組であり、近隣との情報共有に広く使えるものではない。また、特許文献３は災害時の警報配信と安否情報集約に特化したもので、子局、親局、中央局と階層化し、親局を経由して子局に中央局から配信する、子局から中央局へ情報集約するものであり、ユーザ相互間の通信を可能とするものではない。したがって、いずれも災害時等の緊急時にユーザ間の相互通信ができない問題があった。
【先行技術文献】
【特許文献】
【０００４】
【特許文献１】特開２０１６−０６２１０６号公報
【特許文献２】特開２０１１−１０７９６４号公報
【特許文献３】特開２００８−２９９５９７号公報
【発明の概要】
【発明が解決しようとする課題】
【０００５】
そこで、発明が解決しようとする課題は、各ユーザ建屋に配備されたスマートメータの無線マルチホップ機能を利用し、一般的な公衆ネットワークを利用する場合と比べ、簡便で、激甚災害時など公衆ネットワークが使用できない状況でも使える、ユーザ相互で情報交換する通信路を提供することにある。
【課題を解決するための手段】
【０００６】
上記の課題を解決するために、本発明は、配電事業者システムとも無線マルチホップのＡルート無線チャネルで接続し、ＨＥＭＳ装置ともＢルート無線チャネルで接続する、複数のユーザ建屋にそれぞれ配置され相互通信無線チャネルで通信するスマートメータ装置と、各ユーザ建屋で該スマートメータ装置に接続されユーザ建屋内通信で各種ＯＡ（Office Automation）装置と接続するゲートウェイ装置からなる、通信システムにおいて、上記スマートメータ装置は、自スマートメータＩＤを保存し、自スマートメータＩＤを含むＩＤ通知信号をスマートメータ装置内へ送出するスマートメータＩＤ管理手段と、上記スマートメータＩＤ管理手段からＩＤ通知信号受け、電力を測定し電力使用量とＡルートチャネルやＢルートチャネルを示すチャネル情報を含む電力情報信号をスマートメータ装置内へ送出するスマートメータ手段と、スマートメータＩＤ管理手段からＩＤ通知信号受けた場合には、受けたＩＤ通知信号をゲートウェイ装置へ送出し、ゲートウェイ装置から相互通信チャネルを示すチャネル情報と宛先ＩＤと発元ＩＤとＴＴＬ（Time To Live）とサービスＩＤとデータＩＤとデータを含むデータ信号を受けた場合には、受けたデータ信号をスマートメータ装置内へ送出し、スマートメータ装置内からデータ信号を受けた場合には、受けたデータ信号をゲートウェイ装置へ送出する外部接続受け手段とスマートメータ手段から電力情報信号を受けた場合には、チャネル情報がＡルートチャネルの場合には受けた電力情報信号をＡルート無線チャネルで送出し、チャネル情報がＢルートチャネルの場合には受けた電力情報信号をＢルート無線チャネルで送出し、上記外部接続受け手段からデータ信号を受けた場合には、受けたデータ信号を相互通信無線チャネルで送出し、別ユーザ建屋のスマートメータ装置から相互通信無線チャネルでデータ信号を受けた場合には、受けたデータ信号を上記外部接続受け手段へ送出し、別ユーザ建屋のスマートメータ装置からＡルート無線チャネルで電力情報信号を受信した場合には、受けた電力情報信号をＡルート無線チャネルで送出する無線通信手段を備え、上記ゲートウェイ装置は、各種ＯＡ装置から宛先ＩＤと発元ＩＤとサービスＩＤとデータＩＤとデータを含むユーザデータ信号を受けた場合には、ゲートウェイ装置内へ送出し、ゲートウェイ装置内からユーザデータ信号を受けた場合には、受けたユーザデータ信号を各種ＯＡ装置へ送出するＯＡ装置接続手段と、スマートメータ装置からＩＤ通知信号を受けた場合には、受けたＩＤ通知信号をゲートウェイ装置内へ送出し、スマートメータ装置からデータ信号を受けた場合には、受けたデータ信号をゲートウェイ装置内へ送出し、ゲートウェイ装置内からデータ信号を受けた場合には、受けたゲートウェイ信号をスマートメータ装置へ送出する外部接続手段と、あらかじめＴＴＬ初期値を保存し、外部接続手段からＩＰ通知信号を受けた場合には、自スマートメータＩＤを保存し、ＯＡ装置接続手段からのユーザデータ信号を受けた場合には、受けたユーザデータ信号と保存している情報からデータ信号を生成し外部接続手段へ送出する送信手段と、外部接続手段からＩＤ通知信号を受けた場合には、自スマートメータＩＤを保存し���外部接続手段からデータ信号を受けた場合には、受けたデータ信号をもとにユーザデータ信号を生成しＯＡ装置接続手段に送出し外部データ接続手段にデータ信号を転送する、受信中継手段と、を含むことを特徴とする。
【発明の効果】
【０００７】
本発明によれば、公衆ネットワークを利用する手続き・手順が必要なく、電力を利用する全ユーザが利用可能で、スマートメータの無線マルチホップで伝播可能な地域に根ざしたユーザ相互の情報交換が可能な通信システムを実現することができるものである。
【図面の簡単な説明】
【０００８】
【図１】本発明の通信システムの構成図
【図２】通信システムにおけるスマートメータ装置の構成図
【図３】通信システムにおけるゲートウェイ装置の構成図
【図４】ゲートウェイ装置における受信中継手段で実行されるデータ信号の受信中継手順
【図５】ユニキャスト通信する際の発元ユーザ建屋内での処理シーケンス例
【図６】ユニキャスト通信する際の中継ユーザ建屋内での処理シーケンス例
【図７】ユニキャスト通信する際の宛先ユーザ建屋内での処理シーケンス例
【図８】ブロードキャスト通信する際の中継ユーザ建屋内での処理シーケンス例
【図９】ゲートウェイ装置における受信中継手段で実行されるデータ信号の受信とルーチングテーブルを使った中継手順
【図１０】本発明の見守りシステムの構成図
【図１１】見守りシステムにおけるＯＡ装置とセンサ装置の構成図
【図１２】通信システムのゲートウェイ装置における受信中継手段で実行されるグループＩＤを使ったデータ信号の受信中継手順
【図１３】見守りグループを構築するシーケンス例
【図１４】メッセージを送受信するシーケンス例
【図１５】センサデータを送受信するシーケンス例
【図１６】データ構成
【図１７】見守りサービスのデータ構成
【発明を実施するための形態】
【０００９】
以下、本発明の実施例を図面に基づいて詳細に説明する。図１は、本発明の実施例に係る通信システムの構成を示すブロック図である。各ユーザ建屋５−１、５−２、５−３内に配置されるスマートメータ装置１−１、１−２、１−３と、スマートメータ装置に接続するＯＡ装置３−１、３−２、３−３のユーザ間通信にスマートメータ無線マルチホップによる通信路を提供するゲートウェイ装置２−１、２−２、２−３と、ＯＡ装置に接続するセンサ装置４−１、４−２、４−３により構成される。ここでＯＡ装置３−１、３−２、３−３は１または複数のＯＡ装置が接続されていることを示す。
【００１０】
図２は、本発明におけるスマートメータ装置１の構成を示すブロック図である。スマートメータＩＤ管理手段１０１には、あらかじめ自スマートメータＩＤが設定されている。スマートメータ装置１およびゲートウェイ装置２はスマートメータＩＤ管理手段１０１からのＩＤ通知信号を受け取り、自スマートメータＩＤを知ることができる。スマートメータ手段１０２は、従来のスマートメータが具備する電力使用量を収集し、Ａルート電力情報信号９やＢルート電力情報信号１０を、ＡルートやＢルートで通知する機能のことである。無線通信手段１０３も、ＡルートやＢルート用の機能は従来のスマートメータが具備するものである。無線通信手段１０３は、新たなスマートメータ間相互通信用の無線チャネルを選択利用できる。外部接続受け手段１０４により無線通信手段１０３に送受信されるデータ信号８はスマートメータ間相互通信用の無線チャネルをつかって送受信するように無線通信手段１０３が無線チャネルを選択する。また、外部接続受け手段１０４はゲートウェイ装置２との接続を行うものであり、自スマートメータＩＤの通知やデータ信号８の送受信を行う。
【００１１】
図３は、本発明におけるゲートウェイ装置２の構成を示すブロック図である。スマートメータ装置１の外部接続受手段１０４と同様に装置間をつなぐのが外部接続手段２０１である。スマートメータ装置１から受け取った自スマートメータＩＤを受信中継手段２０２と送信手段２０３に渡す。また、ユーザがＯＡ装置３を使って送信したユーザデータ信号７は、ＯＡ装置接続手段２０４を介して送信手段２０３が受け取り、別スマートメータ装置へのデータ送信信号として送り出すので、これも外部接続手段２０１を介してスマートメータ装置１へ送られる。別スマートメータ装置からスマートメータ装置１が受信したデータ信号８を外部接続手段２０１が受け取り、受信中継手段２０２にわたす。受信中継手段２０２で、中継の要否、ユーザへの通知の要否の判断を行う。ユーザが受信する必要があれば、ＯＡ接続手段２０４を介してＯＡ装置３にユーザデータ信号７を送り、また、他端末に中継転送が必要であれば、中継転送ホップ数を示すＴＴＬを１減算して外部接続手段２０１にデータ信号８を送信する。
【００１２】
図４に受信中継手段２０２におけるユーザが受信する必要があるか、中継転送する必要があるか、判断するロジックを示す。
【００１３】
まず、既に受信し処理したデータの再受信かチェックし再受信したデータの場合は破棄する（Ｓ１０２、Ｎｏ）。チェックの方法は、各ＯＡ装置３が送信する際に一意性のあるシリアル番号をデータＩＤとして付与するとして、ＯＡ機器種別に対応するサービスＩＤと、各ユーザの別に対応する発元ＩＤとデータＩＤの３つの組み合わせでデータの識別を行う（Ｓ１０２）。
【００１４】
ユーザが受信する必要があるかのチェックは、宛先ＩＤにて判断する（Ｓ１０３）。ユニキャスト通信と宛先ＩＤがall 1の場合のブロードキャスト通信を想定する。自スマートメータ装置１に向けたユニキャスト通信である場合（Ｓ１０３、Ｙｅｓ）、自スマートメータ装置１に接続するＯＡ装置３にＯＡ装置接続手段２０４を介して送信する（Ｓ１０４）。宛先ＩＤが自スマートメータＩＤでない場合（Ｓ１０３、Ｎｏ）、宛先ＩＤがall１であるかを判定する（Ｓ１０５）。
【００１５】
宛先ＩＤがall１の場合（Ｓ１０５、Ｙｅｓ）、自スマートメータ装置１に接続するＯＡ装置３にＯＡ装置接続手段２０４を介して送信する（Ｓ１０６）。宛先ＩＤがall１でない場合（Ｓ１０５、Ｎｏ）、ユーザへの送信は行わない。
【００１６】
中継転送する必要があるかのチェックは、まず、宛先ＩＤが自スマートメータＩＤではないことを確認し、ＴＴＬが１以上であるかを判定する（Ｓ１０７）。ＴＴＬが１以上であれば中継転送する（Ｓ１０７、Ｙｅｓ、Ｓ１０８）。ＴＴＬが０であれば地域に行きわたる十分な中継ホップされたこととなるこれ以上の中継転送はしない（Ｓ１０７、Ｎｏ）。
【００１７】
具体的な実施例として、発元ＩＤ＃１から宛先ＩＤ＃３へのユニキャスト通信の場合の動作を説明する。
【００１８】
自スマートメータＩＤが＃１の発元ユーザ建屋５−１における各装置の動作を図５に示す。各ＯＡ装置は自スマートメータＩＤと宛先スマートメータＩＤを知っている場合を示す。発元ＯＡ装置はローカルエリア接続やＷｉＦｉなどによるユーザ建屋内通信によってスマートメータ装置にデータを送信する。ＯＡ装置３−１は発元ＩＤ＝＃１、宛先ＩＤ＝＃３のユーザデータ信号７をゲートウェイ装置２−１に送り（Ｓ２０１）、送信手段２０２は保存している自スマートメータＩＤとＴＴＬ初期値を設定して、スマートメータ装置に送る（Ｓ２０２、Ｓ２０３、Ｓ２０４）。スマートメータ装置１−１は外部接続受け手段１０４で受信したデータ信号８を無線通信手段１０３で相互通信無線チャネルを使って隣接する中継ユーザ建屋５−２に送る（Ｓ２０５、Ｓ２０６）。
【００１９】
自スマートメータＩＤが＃２の中継ユーザ建屋５−２における各装置の動作を図６に示す。発元ユーザ建屋５−１から相互通信無線チャネルで送信されたデータ信号８をスマートメータ装置１−２が受信し（Ｓ３０１）、ゲートウェイ装置２−２に渡す（Ｓ３０２、Ｓ３０３）。ゲートウェイ装置２−２の受信中継手段２０２では、図４のロジックで、既に受信し処理したデータの再受信ではなく、ユニキャスト通信であり、自スマートメータＩＤ宛ではなく、ＴＴＬも１以上である、従って、中継転送する信号であると判断する。ＴＴＬを１つ減算してスマートメータ装置に送り（Ｓ３０５、Ｓ３０６）、相互通信無線チャネルを使って宛先ユーザ建屋５−３に送る（Ｓ３０８）。
【００２０】
自スマートメータＩＤが＃３の宛先ユーザ建屋５−３における各装置の動作を図７に示す。中継ユーザ建屋５−２のスマートメータ装置１−２から相互通信無線チャネルで送られたデータ信号８をスマートメータ装置１−３が受信し（Ｓ４０１）、ゲートウェイ装置２−３に渡す（Ｓ４０２、Ｓ４０３）。ゲートウェイ装置２−３の受信中継手段２０２では、図４のロジックで、既に受信し処理したデータの再受信ではなく、ユニキャストであり、自スマートメータＩＤ宛である、従って、ユーザに通知する信号であると判断する。受信中継手段２０２は、ユーザデータ信号７をＯＡ装置接続手段２０４に送り、ＯＡ装置接続手段２０４はローカルエリア接続やＷｉＦｉなどのユーザ建屋内通信で各種ＯＡ装置３−３に信号を送る。信号は全ＯＡ装置に配信されるので、各種ＯＡ装置３−３が信号内にあるサービスＩＤをチェックし自サービスＩＤであれば信号を受信し、自サービスＩＤでなければ破棄する。アプリケーションレベルの応答が必要な場合は、信号内の発元ＩＤを宛先ＩＤに設定した信号を生成し送信する。
【００２１】
宛先ＩＤにall１が設定されるブロードキャスト通信における、中継ユーザ建屋５−２の各装置の動作を図８に示す。発元ユーザ建屋５−１から相互通信無線チャネルで送信されたデータ信号８をスマートメータ装置１−２が受信し（Ｓ５０１）、ゲートウェイ装置２−２に渡す（Ｓ５０２、Ｓ５０３）。ゲートウェイ装置２−２の受信中継手段２０２では、図４のロジックで、既に受信し処理したデータの再受信ではなく、ユニキャストであり、ＴＴＬも１以上である、従って、ユーザに通知する信号であり且つ中継転送する信号であると判断する。ＴＴＬを１つ減算してスマートメータ装置に送り（Ｓ５０５、Ｓ５０６）、相互通信無線チャネルを使って中継先ユーザ建屋５−３に送る（Ｓ５０８）。また、ユーザデータ信号７をＯＡ装置接続手段２０４に送り（Ｓ５０９）、ＯＡ装置接続手段２０４はローカルエリア接続やＷｉＦｉなどのユーザ建屋内通信で各種ＯＡ装置３−２に信号を送る。信号は全ＯＡ装置に配信されるので、各ＯＡ装置３−２が信号内にあるサービスＩＤをチェックし自サービスＩＤであれば信号を受信し、自サービスＩＤでなければ破棄する。アプリケーションレベルの応答が必要な場合は、信号内の発元ＩＤを宛先ＩＤに設定した信号を生成し送信する。
【００２２】
図４のほかに、受信中継手段２０２が宛先ＩＤリストであるルーチングテーブルを保持しているときに、受信中継手段２０２におけるユーザが受信する必要があるか、中継転送する必要があるか、判断するロジックの実施例を図９に示す。ルーチングテーブルはスマートメータ設置時のネットワーク設計で作成されるもの、運用中にプロアクティブ型プロトコルで作成されるもの、リアクティブ型プロトコルで作成されるもの、マルチキャスト情報を含んだプロトコルで作成されるもの、などがある。
【００２３】
まず、既に受信し処理したデータの再受信かのチェックを図４と同様に行う（Ｓ６０２）。ユーザが受信する必要があるかのチェックも図４と同様に行う（Ｓ６０３）。中継転送する必要があるかのチェックで、まず、宛先ＩＤが自スマートメータＩＤではないことを確認し（Ｓ６０３、Ｎｏ）、ＴＴＬが１以上であるかのチェックも図４と同様に行う（Ｓ６０７、Ｙｅｓ）。
【００２４】
加えて、宛先ＩＤがルーチングテーブルにあるかを確認し（Ｓ６０８）、ルーチングテーブルにあれば中継転送する（Ｓ６０８、Ｙｅｓ、Ｓ６０９）。なければ中継先に宛先がないこととなるこれ以上の中継転送はしない（Ｓ６０８、Ｎｏ）。
【００２５】
次に本通信システムとセンサ装置を利用した高齢者見守りサービスの実施例を図面に基づいて詳細に説明する。図１０は、本発明の実施例に係る見守りシステムの構成を示すブロック図である。各ユーザ建屋５−１、５−２、５−３内に配置されるスマートメータ装置１−１、１−２、１−３と，スマートメータ装置に接続し各種ＯＡ装置のユーザ間通信にスマートメータ無線マルチホップによる通信路を提供するゲートウェイ装置２−１、２−２、２−３により構成される通信システムを介して、ユーザとのインタラクションと見守りグループメンバを管理するＯＡ装置３−１、３−２、３−３と、ユーザの生活行動に反応するセンサ装置４−１、４−２、４−３が繋がって構成される。
【００２６】
図１１は、本発明におけるＯＡ装置３とセンサ装置４の構成を示すブロック図である。ＯＡ装置３には、ユーザとの入出力を行う入力手段３０４と出力手段３０３がある。見守りグループの構築と管理を行うグループ管理手段３０２があり、通信システムのゲートウェイ装置２と接続するための通信システム接続手段３０１がある。センサ装置４にはユーザの生活動作を検知するセンサ手段４０２があり、センサ手段４０２が検知した情報をＯＡ装置３のグループ管理手段３０２を介して見守りグループメンバに送るセンサ制御手段４０１がある。
【００２７】
通信システムのゲートウェイ装置２の受信中継手段２０２におけるユーザが受信する必要があるか（Ｓ７０４）、ブロードキャスト通信または参加中グループリストのＩＤに対する中継転送であるか（Ｓ７０５、Ｙｅｓ）、またはそれ以外の宛先に対する中継転送であるか（Ｓ７０５、Ｎｏ）、判断するロジックの実施例を図１２に示す。
【００２８】
受信中継手段２０２には、受信が必要なグループＩＤのリストである参加中グループリストが保持されている。参加者グループリストはユーザからのグループ開始信号１１もしくはグループ参加応答信号１３にてＯＫが返された場合に作成追記される。
【００２９】
まず、自スマートメータＩＤ＝＃３のユーザ建屋５−３のユーザが見守りグループを作成し、ＩＤ＝＃１とＩＤ＝＃２のユーザが見守りグループに参加する動作を図１３に示す。このとき、ユーザ建屋間の通信は相互通信チャネルを使用するものとし、図から省略する。ＩＤ＃３のＯＡ装置３−３からグループＩＤ＝＃Ｇ１でグループ開始信号１１を通信システムのゲートウェイ装置３−３に送ると（Ｓ８０１）、受信中継手段２０２に内包する参加グループリスト情報に＃Ｇ１のグループＩＤを記録する。ＩＤ＃１のＯＡ装置３−１からグループＩＤ＃Ｇ１へのグループ参加要求信号１２が発信されると（Ｓ８０２）、ＩＤ＃２のゲートウェイ装置２−２を中継し（Ｓ８０３）、グループＩＤ＃Ｇ１が登録されているＩＤ＃３のゲートウェイ装置が受信し（Ｓ８０４）、ＯＡ装置へ転送する（Ｓ８０５）。グループを生成したＩＤ＃３のユーザが許可すれば、ＯＫでグループ参加応答信号１３をグループＩＤ＃Ｇ１宛に送り（Ｓ８０６、Ｓ８０７、Ｓ８０８）、ＩＤ＃１のゲートウェイ装置２−１ではＯＫを確認し参加中グループリストにグループＩＤ＃Ｇ１を設定し、グループ参加応答信号１３をＯＡ装置に転送する（Ｓ８０９）。その中にあるメンバリスト１５をＯＡ装置内に設定する。同様に、ＩＤ＃２ のユーザからの参加要求信号１２もＩＤ＃３のゲートウェイ装置２−３に送信され（Ｓ８１０、Ｓ８１３）、ＯＡ装置３−３に転送し（Ｓ８１４）、グループへの参加が許可され、グループ参加応答信号１３をＩＤ＃２のゲートウェイ装置２−２とＩＤ＃１のゲートウェイ装置２−１に送る（Ｓ８１５、Ｓ８１６、Ｓ８１８）。ＩＤ＃２のゲートウェイ装置２−２とＩＤ＃１のゲートウェイ装置２−１はＯＡ装置３−１、３−２へ転送し（Ｓ８１７、Ｓ８１９）、メンバリスト１５を設定する。
【００３０】
次に、ＩＤ＃２のＯＡ装置からグループＩＤ＃Ｇ１へメッセージを送る動作を図１４に示す。宛先ＩＤに＃Ｇ１が設定されたメッセージ信号１６がＴＴＬで到達される範囲の各ユーザ建屋５−１、５−２へ転送され、グループＩＤ＃Ｇ１をキーに図１２に示した処理フローでゲートウェイ装置２−１、２−３が受信する。
【００３１】
同様に、ＩＤ＃１のセンサ装置４−１からグループＩＤ＃Ｇ１へメッセージを送る動作を図１５に示す。センサ装置４−１が検出した生活反応を反応信号１４にのせてＯＡ装置３−１へ送ると（Ｓ１００１）、ＯＡ装置３−１のグループ管理手段が管理しているグループＩＤ情報からに宛先ＩＤに＃Ｇ１を設定したメッセージ信号１６がＴＴＬで到達される範囲の各ユーザ建屋５−２、５−３へ転送され（Ｓ１００２、Ｓ１００３、Ｓ１００５）、グループＩＤ＃Ｇ１をキーに図１２に示した処理フローでゲートウェイ装置２−２、２−３が受信する。
【符号の説明】
【００３２】
１・・・スマートメータ装置、２・・・ゲートウェイ装置、３・・・ＯＡ装置、４・・・センサ装置、５・・・ユーザ建屋、６・・・配電事業者システム、７・・・ユーザデータ信号、８・・・データ信号、９・・・Ａルート電力情報信号、１０・・・Ｂルート電力情報信号、１１・・・グループ開始信号、１２・・・グループ参加要求信号、１３・・・グループ参加応答信号、１４・・・反応信号、１５・・・メンバリスト例、１６・・・メッセージ信号、１０１・・・スマートメータＩＤ管理手段、１０２・・・スマートメータ手段、１０３・・・無線通信手段、１０４・・・外部接続受け手段、２０１・・・外部接続手段、２０２・・・受信中継手段、２０３・・・送信手段、２０４・・・ＯＡ装置接続手段、３０１・・・外部接続手段、２０２・・・受信中継手段、２０３・・・送信手段、２０４・・・ＯＡ装置接続手段、３０１・・・通信システム接続手段、３０２・・・グループ管理手段、３０３・・・出力手段、３０４・・・入力手段、４０１・・・センサ制御手段、４０２・・・センサ手段
【図１】
2018082300.tif 000003
【図２】
2018082300.tif 000004
【図３】
2018082300.tif 000005
【図４】
2018082300.tif 000006
【図５】
2018082300.tif 000007
【図６】
2018082300.tif 000008
【図７】
2018082300.tif 000009
【図８】
2018082300.tif 000010
【図９】
2018082300.tif 000011
【図１０】
2018082300.tif 000012
【図１１】
2018082300.tif 000013
【図１２】
2018082300.tif 000014
【図１３】
2018082300.tif 000015
【図１４】
2018082300.tif 000016
【図１５】
2018082300.tif 000017
【図１６】
2018082300.tif 000018
【図１７】
2018082300.tif 000019